(57)【特許請求の範囲】
【請求項１】
電極用金属と電解質溶液とを非電導性の容器内に収容し、
前記電極用金属を容器外側の外部電解質中の構造物又はその擬似部材に電気的に接続するとともに、前記電解質溶液を前記外部電解質に電気的に接続して、前記構造物の電位を測定できるように構成してある照合電極であって、
前記電解質溶液と電導性粘性流体とを、非電導性の多孔質材料で形成してある内部隔壁を通して互いに電気的に接続するように、前記容器内に各別に充填し、前記容器を、内部電解質材を充填してある非電導性の外装容器に内装して、前記電導性粘性流体と前記内部電解質材とを、前記容器に設けた非電導性の多孔質材料で形成してある容器隔壁を通して互いに電気的に接続することにより、前記電解質溶液を、前記電導性粘性流体と前記内部電解質材とを介して、前記外装容器に形成した貫通孔を通して、前記外部電解質に電気的に接続可能に設けるとともに、
前記内部電解質材に電気的に接触する補助金属電極を設け、前記補助金属電極と前記構造物又は前記擬似部材とを電気的に接続して、前記構造物の電位を測定できるように構成してある照合電極。
【請求項２】
前記容器を筒状に形成して、その筒軸芯方向に沿って装脱可能に、前記外装容器に内装し、
前記容器隔壁を、前記容器の前記筒軸芯方向に略沿わせて設けてある容器壁に設けてある請求項１記載の照合電極。
【請求項３】
電極用金属と電解質溶液とを非電導性の容器内に収容し、
前記電極用金属を容器外側の外部電解質中の構造物又はその擬似部材に電気的に接続するとともに、前記電解質溶液を前記外部電解質に電気的に接続して、前記構造物の電位を測定できるように構成してある照合電極であって、
前記外部電解質と電気的に接続可能な補助金属電極を設け、
前記補助金属電極と前記構造物又は前記擬似部材とを電気的に接続して、前記構造物の電位を測定できるように構成してある照合電極。
【請求項４】
前記補助金属電極を、その金属イオンが抗菌性を有する抗菌金属で形成してある請求項１〜３のいずれか１項記載の照合電極。
【請求項５】
前記抗菌金属に対してカソードとして作用させる再生用金属電極を、前記抗菌金属と電気的に接続自在に設けてある請求項４記載の照合電極。
【請求項６】
電極用金属と電解質溶液とを非電導性の容器内に収容してある照合電極を設け、
前記電極用金属を、容器外側の外部電解質中の構造物の擬似部材に電気的に接続するとともに、前記電解質溶液を前記外部電解質に電気的に接続して、前記擬似部材と前記照合電極との電位差を前記構造物の電位として測定できるように構成してある電位測定装置であって、
前記照合電極を構成するに、
前記電解質溶液と電導性粘性流体とを、非電導性の多孔質材料で形成してある内部隔壁を通して互いに電気的に接続するように、前記容器内に各別に充填し、前記容器を、内部電解質材を充填してある非電導性の外装容器に内装して、前記電導性粘性流体と前記内部電解質材とを、前記容器に設けた非電導性の多孔質材料で形成してある容器隔壁を通して互いに電気的に接続することにより、前記電解質溶液を、前記電導性粘性流体と前記内部電解質材とを介して、前記外装容器に形成した貫通孔を通して、前記外部電解質に電気的に接続可能に設けるとともに、
前記内部電解質材に電気的に接触する補助金属電極を設け、前記補助金属電極と前記擬似部材とを電気的に接続して、前記構造物の電位を測定できるように構成し、
前記擬似部材を、その特定面が前記外装容器の前記貫通孔近くで前記外部電解質に電気的に接触し、かつ、前記特定面以外の面が前記内部電解質材に対して電気的に絶縁されるように設けてある電位測定装置。
【請求項７】
前記照合電極の複数を設けるとともに、各照合電極毎に対応する前記擬似部材を、その特定面が略一定方向に向くように並べて、非導電性の連結材を介して一体に固定してある請求項６記載の電位測定装置。
【請求項８】
非導電性の板材を、その一側面が前記特定面側に向くように設けて、前記一側面と前記特定面との間に、前記外部電解質が入り込む又は前記外部電解質を充填する隙間を形成してある請求項６又は７記載の電位測定装置。
【請求項９】
非導電性の板材を、その一側面が前記擬似部材の各特定面側に向くように一連に設けて、前記一側面と各特定面との間に、前記外部電解質が入り込む又は前記外部電解質を充填する隙間を一連に形成してある請求項７記載の電位測定装置。
【請求項１０】
前記擬似部材を前記外装容器に固定し、前記外装容器の上部に硬質の筒体部を略同芯状に一体連設するとともに、前記外装容器の下部に下端側ほど小径の硬質先端部を略同芯状に一体連設し、
前記擬似部材と前記電極用金属とを電気的に接続可能な導線を、前記筒体部の内側を通してその筒体部の上部に延設してある請求項６記載の電位測定装置。
【請求項１１】
前記貫通孔を前記硬質先端部の先端から径方向にずらして開口するように形成してある請求項１０記載の電位測定装置。
【請求項１２】
前記擬似部材と前記構造物とに亘って流れる電流を測定可能な電流測定手段を設けてある請求項６〜１１のいずれか１項記載の電位測定装置。
【発明の詳細な説明】
【０００１】
【発明の属する技術分野】
本発明は、電極用金属と電解質溶液とを非電導性の容器内に収容し、前記電極用金属を容器外側の外部電解質中の構造物又はその擬似部材に電気的に接続するとともに、前記電解質溶液を前記外部電解質に電気的に接続して、前記構造物の電位を測定する技術に関する。
【０００２】
【従来の技術】
従来の照合電極（基準電極または参照電極ともいう）は、非電導性の容器内に収容してある電極用金属を容器外側の外部電解質中の構造物又はその擬似部材に電気的に接続するとともに、容器内に収容してある電解質溶液を、容器に設けた非電導性の多孔質材料で形成してある容器隔壁を通して、容器外側の土壌などの外部電解質に接触させることにより、その外部電解質に電気的に接続して、構造物の電位を測定できるように構成してある。
【０００３】
また、従来の電位測定装置は、例えば、図１７に示すように、外部直流電源２９の負極側を土壌（外部電解質の一例）８中の鋼製埋設管（構造物の一例）Ｂに接続するとともに、外部直流電源２９の正極側を土壌８中に埋設した対極３０に接続して、対極３０から土壌８を介して埋設管Ｂに防食電流を流す外部電源法により防食されている埋設管Ｂの防食電位を測定するものにおいて、塗装欠陥部を模擬する試験片を擬似部材Ｃとして埋設管Ｂの近くに埋設し、非電導性の容器５内に収容してある電解質溶液２を、容器５に設けた非電導性の多孔質材料で形成してある隔壁４０を通して、容器外側の土壌８に接触させることにより、土壌８に電気的に接続するように構成してある照合電極Ａを使用して、その電極用金属１を直流電圧計Ｄを介して擬似部材Ｃに電気的に接続するとともに、電解質溶液２を地表Ｇに接触させて土壌に電気的に接続しておき、防食電位を測定しない通常状態においては、擬似部材Ｃを埋設管Ｂに短絡させて、擬似部材Ｃを埋設管Ｂと同電位の防食状態に維持しておき、防食電位の測定時には、擬似部材Ｃに防食電流が流れないように、擬似部材Ｃと埋設管Ｂとの短絡状態を切って、その短絡状態を切った瞬間に応じたタイミング（短絡状態を切った瞬間から数ｍｓというオーダのタイミング）で、直流電圧計Ｄで測定した擬似部材Ｃと照合電極Ａとの電位差を、埋設管Ｂの防食電位として測定できるようにしてある。
【０００４】
【発明が解決しようとする課題】
上記従来の照合電極は、電解質溶液を、多孔質材料で形成してある容器隔壁を通して容器外側の外部電解質に接触させることにより、その外部電解質に電気的に接続するように構成しているために、電解質溶液が容器隔壁を通して外部電解質中に滲み出てしまい、電解質溶液がなくなってしまったり、或いは、雨水等の溶液環境への滲みだしに伴う電解質溶液の濃度の低下により、電位の測定精度が低下するおそれがあり、電解質溶液を外部電解質に電気的に接続したまま長期に亘って設置できない欠点がある。
【０００５】
また、上記従来の照合電極は、電解質溶液を土壌などの外部電解質に接触させることにより、その外部電解質に電気的に接続されるように設置するので、外部電解質によるＩＲ損などの影響を少なくするために、擬似部材に近接させて設置した場合は、金属イオンを取り込んで分解するバクテリア（例えば、鉄細菌，鉄酸化細菌，硫黄酸化細菌等）が外部電解質中で繁殖すると、その分解物などにより、電解質溶液と擬似部材とが擬似導通状態に陥って、電位の測定精度が低下するおそれがあり、擬似部材に近接させた状態で長期に亘って設置できない欠点がある。
【０００６】
上記従来の電位測定装置は、電解質溶液２を、多孔質材料で形成してある隔壁４０を通して容器外側の外部電解質８に接触させることにより、その外部電解質８に電気的に接続するように構成してある照合電極を使用しているために、電解質溶液２が隔壁４０を通して外部電解質８中に滲み出てしまい、電解質溶液２がなくなってしまったり、或いは、雨水等の溶液環境への滲みだしに伴う電解質溶液２の濃度の低下により、電位の測定精度が低下するおそれがあり、照合電極Ａの電解質溶液２を外部電解質８に電気的に接続したまま長期に亘って設置できない欠点がある。
【０００７】
また、上記従来の電位測定装置は、照合電極Ａを地表Ｇ側に接地し、擬似部材Ｃと埋設管Ｂとの短絡状態を切って、防食電流が流れていない擬似部材Ｃと照合電極Ａとの電位差を測定するために、防食電流を流したままで地表Ｇ側に接地した照合電極Ａと埋設管Ｂとの電位差を測定する場合に比べて、擬似部材Ｃ周りの防食電流（Ｉ）と土壌抵抗（Ｒ）とによって生じるＩＲ損を消すことができる利点があるが、防食電流や電気鉄道などからの迷走電流が流れている埋設管Ｂ周りのＩＲ損は消えないので、照合電極Ａを擬似部材Ｃの近くに埋設しなければ、電位を精度良く測定できない欠点がある。
【０００８】
更に、上記従来の電位測定装置は、擬似部材Ｃと埋設管Ｂとの短絡状態を切った瞬間から数ｍｓというオーダの極めて短いタイミングで、擬似部材Ｃと照合電極Ａとの電位差を測定する必要があり、そのような微妙なタイミングで電位差を測定できる高価な測定機器が必要になって、電位を簡便に測定できない欠点もある。
【０００９】
本発明は上記実情に鑑みてなされたものであって、長期に亘って電位を精度良く測定できるようにすることを目的とする。
【００１０】
【課題を解決するための手段】
請求項１記載の発明の特徴構成は、電極用金属と電解質溶液とを非電導性の容器内に収容し、前記電極用金属を容器外側の外部電解質中の構造物又はその擬似部材に電気的に接続するとともに、前記電解質溶液を前記外部電解質に電気的に接続して、前記構造物の電位を測定できるように構成してある照合電極であって、前記電解質溶液と電導性粘性流体とを、非電導性の多孔質材料で形成してある内部隔壁を通して互いに電気的に接続するように、前記容器内に各別に充填し、前記容器を、内部電解質材を充填してある非電導性の外装容器に内装して、前記電導性粘性流体と前記内部電解質材とを、前記容器に設けた非電導性の多孔質材料で形成してある容器隔壁を通して互いに電気的に接続することにより、前記電解質溶液を、前記電導性粘性流体と前記内部電解質材とを介して、前記外装容器に形成した貫通孔を通して、前記外部電解質に電気的に接続可能に設けるとともに、前記内部電解質材に電気的に接触する補助金属電極を設け、前記補助金属電極と前記構造物又は前記擬似部材とを電気的に接続して、前記構造物の電位を測定できるように構成してある点にある。
【００１１】
〔作用及び効果〕
電解質溶液と外部電解質との直接的な接触を、電解質溶液と外部電解質との間に介在させた電導性粘性流体で阻止し、電解質溶液を、電導性粘性流体を介して外部電解質に電気的に接続可能に設けてあるので、電解質溶液が外部電解質中に滲み出るおそれが少ない。
【００１２】
また、内部電解質材を充填して内部を等電位に保つことができるようにしてある非電導性の外装容器に、電解質溶液と電導性粘性流体とを充填してある容器を内装して、電導性粘性流体と内部電解質材とを、容器に設けた非電導性の多孔質材料で形成してある容器隔壁を通して互いに電気的に接続するとともに、内部電解質材を外装容器に形成した貫通孔を通して外部電解質に電気的に接続可能に設けて、電解質溶液を、電導性粘性流体と内部電解質材とを介して、外装容器に形成した貫通孔を通して外部電解質に電気的に接続可能に設けてあるので、電解質溶液を、外装容器に形成した貫通孔近くで、その貫通孔を通して外部電解質に電気的に接続したのと同等の効果を得ることができる。
【００１３】
更に、内部電解質材に電気的に接触する補助金属電極を設け、その補助金属電極と構造物又は擬似部材とを電気的に接続して、構造物の電位を測定できるように構成してあるので、電解質溶液と外部電解質との電気的な接触によらずに、補助金属電極と構造物又は擬似部材とを電気的に接続して、構造物の電位を測定できる。
【００１４】
従って、電解質溶液が外部電解質中に滲み出るおそれが少ないので、防食電位の測定精度が低下するおそれは略皆無であり、電解質溶液を外部電解質に電気的に接続したまま長期に亘って設置しても、電位を精度良く測定できる。
【００１５】
また、電解質溶液を、外装容器に形成した貫通孔近くで、その貫通孔を通して外部電解質に電気的に接続したのと同等の効果を得ることができるので、外装容器に形成する貫通孔を構造物又は擬似部材に近接させて設置できるように、外装容器の形状や貫通孔の位置を設定することにより、電解質溶液と構造物又は擬似部材との間に介在する外部電解質によるＩＲ損などの影響を少なくして、構造物の電位を精度良く測定できる。
【００１６】
更に、電解質溶液を外部電解質に電気的に接続したまま長期に亘って設置していた結果、電解質溶液と外部電解質とを電気的に接触させて測定した電位の精度が低下しているおそれがある場合は、補助金属電極と構造物又は擬似部材とを電気的に接続して、構造物の電位を測定できる。
【００１７】
請求項２記載の発明の特徴構成は、前記容器を筒状に形成して、その筒軸芯方向に沿って装脱可能に、前記外装容器に内装し、前記容器隔壁を、前記容器の前記筒軸芯方向に略沿わせて設けてある容器壁に設けてある点にある。
【００１８】
〔作用及び効果〕
容器を筒状に形成して、その筒軸芯方向に沿って装脱可能に、外装容器に内装してあるので、容器を外装容器に対して筒軸芯方向に沿って装脱して、電解質溶液を補充したり、電極用金属や電解質溶液を容器ごと交換したりし易いものの、電導性粘性流体と内部電解質材とを電気的に接続させる容器隔壁を、容器底板などの筒軸芯方向に略直交する方向に沿わせて設けてある容器壁に設けてある場合は、容器と外装容器との相対位置が筒軸芯方向に沿って互いに離間する方向にずれると、容器隔壁の全面に亘って内部電解質材との間に隙間ができて、電導性粘性流体と内部電解質材との電気的な接続を確保できなくなるおそれがあるが、容器隔壁を、容器の筒軸芯方向に略沿わせて設けてある容器壁に設けてあるので、容器と外装容器との相対位置が筒軸芯方向に沿って互いに離間する方向にずれても、容器隔壁の全面に亘って内部電解質材との間に隙間ができるおそれが少ない。
従って、電解質溶液を補充したり、電極用金属や電解質溶液を容器ごと交換したりし易いとともに、容器と外装容器との相対位置が筒軸芯方向に沿って互いに離間する方向にずれても、容器隔壁の全面に亘って内部電解質材との間に隙間ができるおそれが少ないので、電導性粘性流体と内部電解質材との電気的な接続を確保し易い。
【００１９】
請求項３記載の発明の特徴構成は、電極用金属と電解質溶液とを非電導性の容器内に収容し、前記電極用金属を容器外側の外部電解質中の構造物又はその擬似部材に電気的に接続するとともに、前記電解質溶液を前記外部電解質に電気的に接続して、前記構造物の電位を測定できるように構成してある照合電極であって、前記外部電解質と電気的に接続可能な補助金属電極を設け、前記補助金属電極と前記構造物又は前記擬似部材とを電気的に接続して、前記構造物の電位を測定できるように構成してある点にある。
【００２０】
〔作用及び効果〕
外部電解質に電気的に接続可能な補助金属電極を設け、その補助金属電極と構造物又は擬似部材とを電気的に接続して、構造物の電位を測定できるように構成してあるので、電解質溶液と外部電解質との電気的な接触によらずに、補助金属電極と構造物又は擬似部材とを電気的に接続して、構造物の電位を測定できる。
従って、電解質溶液を外部電解質に電気的に接続したまま長期に亘って設置していた結果、電解質溶液が外部電解質中に滲み出てしまい、電解質溶液がなくなってしまったり、或いは、雨水等の溶液環境への滲みだしに伴う電解質溶液の濃度の低下により、電解質溶液と外部電解質とを電気的に接触させて測定した電位の精度が低下しているおそれがある場合は、補助金属電極と構造物又は擬似部材とを電気的に接続して、構造物の電位を測定できるので、電解質溶液を外部電解質に電気的に接続したまま長期に亘って設置しても、電位を精度良く測定できる。
【００２１】
請求項４記載の発明の特徴構成は、前記補助金属電極を、その金属イオンが抗菌性を有する抗菌金属で形成してある点にある。
【００２２】
〔作用及び効果〕
補助金属電極から内部電解質材や外部電解質に抗菌性を有する金属イオンが放出されるので、バクテリアが補助金属電極近くの内部電解質材中や外部電解質中に繁殖しにくい。
従って、金属イオンを取り込んで分解するバクテリアが補助金属電極近くの内部電解質材中や外部電解質中に繁殖しにくいので、擬似部材に近接させて設置した場合でも、バクテリアの分解物などにより電解質溶液と擬似部材とが擬似導通状態に陥るおそれが少なく、外部電解質によるＩＲ損などの影響を少なくするために、擬似部材に近接させた状態で長期に亘って設置しても、電位の測定精度が低下しにくい。
【００２３】
請求項５記載の発明の特徴構成は、前記抗菌金属に対してカソードとして作用させる再生用金属電極を、前記抗菌金属と電気的に接続自在に設けてある点にある。
【００２４】
〔作用及び効果〕
抗菌金属と再生用金属電極とを電気的に接続し、外部より直流電圧や直流電流を加えることにより、抗菌金属をアノードとして作用させることができる。
従って、抗菌金属と再生用金属電極とを必要に応じて電気的に接続して、外部より直流電圧や直流電流を加えることにより、抗菌金属をアノードとして作用させて、抗菌金属の表面に安定した酸化被膜を形成させ、照合電極として安定した電位を保持させることが可能になる。
【００２５】
請求項６記載の発明の特徴構成は、電極用金属と電解質溶液とを非電導性の容器内に収容してある照合電極を設け、前記電極用金属を、容器外側の外部電解質中の構造物の擬似部材に電気的に接続するとともに、前記電解質溶液を前記外部電解質に電気的に接続して、前記擬似部材と前記照合電極との電位差を前記構造物の電位として測定できるように構成してある電位測定装置であって、前記照合電極を構成するに、前記電解質溶液と電導性粘性流体とを、非電導性の多孔質材料で形成してある内部隔壁を通して互いに電気的に接続するように、前記容器内に各別に充填し、前記容器を、内部電解質材を充填してある非電導性の外装容器に内装して、前記電導性粘性流体と前記内部電解質材とを、前記容器に設けた非電導性の多孔質材料で形成してある容器隔壁を通して互いに電気的に接続することにより、前記電解質溶液を、前記電導性粘性流体と前記内部電解質材とを介して、前記外装容器に形成した貫通孔を通して、前記外部電解質に電気的に接続可能に設けるとともに、前記内部電解質材に電気的に接触する補助金属電極を設け、前記補助金属電極と前記擬似部材とを電気的に接続して、前記構造物の電位を測定できるように構成し、前記擬似部材を、その特定面が前記外装容器の前記貫通孔近くで前記外部電解質に電気的に接触し、かつ、前記特定面以外の面が前記内部電解質材に対して電気的に絶縁されるように設けてある点にある。
【００２６】
〔作用及び効果〕
電解質溶液と電導性粘性流体とを、非電導性の多孔質材料で形成してある内部隔壁を通して互いに電気的に接続するように、容器内に各別に充填して照合電極を構成し、電解質溶液と外部電解質との直接的な接触を、電解質溶液と外部電解質との間に介在させた電導性粘性流体で阻止して、電解質溶液を、電導性粘性流体を介して外部電解質に電気的に接続可能に設けてあるので、電解質溶液が外部電解質中に滲み出るおそれが少ない。
【００２７】
また、内部電解質材を充填して内部を等電位に保つことができるようにしてある非電導性の外装容器に、電解質溶液と電導性粘性流体とを充填してある容器を内装して、電導性粘性流体と内部電解質材とを、容器に設けた非電導性の多孔質材料で形成してある容器隔壁を通して互いに電気的に接続することにより、電解質溶液を、電導性粘性流体と内部電解質材とを介して、外装容器に形成した貫通孔を通して、外部電解質に電気的に接続可能に設けて照合電極を構成してあるので、電解質溶液を、外装容器に形成した貫通孔近くで、その貫通孔を通して外部電解質に電気的に接続したのと同等の効果を得ることができ、外装容器の貫通孔近くで外部電解質に電気的に接触するように設けた擬似部材と、その擬似部材に電気的に接続してある照合電極との間に介在する外部電解質を少なくして、擬似部材に防食電流や迷走電流が流れていても、外部電解質の抵抗によるＩＲ損を小さくすることができる。
【００２８】
内部電解質材に電気的に接触する補助金属電極を設け、その補助金属電極と構造物又は擬似部材とを電気的に接続して、構造物の電位を測定できるように照合電極を構成してあるので、電解質溶液と外部電解質との電気的な接触によらずに、補助金属電極と構造物又は擬似部材とを電気的に接続して、構造物の電位を測定できる。
【００２９】
更に、擬似部材を、その特定面が外部電解質に電気的に接触し、かつ、特定面以外の面が内部電解質材に対して電気的に絶縁されるように設けてあるので、擬似部材と外部電解質との境界面における電流密度のばらつきを少なくして、擬似部材における電位のばらつきを抑制できる。
【００３０】
従って、照合電極の電解質溶液が外部電解質中に滲み出るおそれが少ないので、電位の測定精度が低下するおそれが少なく、電解質溶液を外部電解質に電気的に接続したまま長期に亘って設置しても、電位を精度良く測定できる。
【００３１】
また、防食電流と外部電解質の抵抗とによるＩＲ損を無視できる程度の小さなものにすることができるとともに、擬似部材における電位のばらつきを抑制できるので、擬似部材に防食電流や迷走電流が流れていても、擬似部材と照合電極との電位差を構造物の電位として精度良く測定でき、その上、従来のように、数ｍｓ以内という極めて短い微妙なタイミングで擬似部材と照合電極との電位差を測定する必要もないので、高価な測定機器を使用することなく簡便に測定できる。
【００３２】
更に、電解質溶液を外部電解質に電気的に接続したまま長期に亘って設置していた結果、電解質溶液と外部電解質とを電気的に接触させて測定した電位の精度が低下しているおそれがある場合は、補助金属電極と構造物又は擬似部材とを電気的に接続して、構造物の電位を測定できる。
【００３３】
請求項７記載の発明の特徴構成は、前記照合電極の複数を設けるとともに、各照合電極毎に対応する前記擬似部材を、その特定面が略一定方向に向くように並べて、非導電性の連結材を介して一体に固定してある点にある。
【００３４】
〔作用及び効果〕
各照合電極毎に対応する擬似部材を、その特定面が略一定方向に向くように並べて、非導電性の連結材を介して一体に固定してあるので、外部電解質の含水率や比抵抗，成分などが場所によって異なっているような場合に、各擬似部材毎に対応する照合電極との電位差を測定して、電位差の分布を調べることができる。
【００３５】
請求項８記載の発明の特徴構成は、非導電性の板材を、その一側面が前記特定面側に向くように設けて、前記一側面と前記特定面との間に、前記外部電解質が入り込む又は前記外部電解質を充填する隙間を形成してある点にある。
【００３６】
〔作用及び効果〕
構造物の塗膜や塗覆装隙間内部における隙間状況を、非導電性の板材の一側面と特定面との間に形成した外部電解質が入り込む又は外部電解質を充填する隙間で再現した状態で、擬似部材と照合電極との電位差をその構造物の電位として測定できる。
従って、従来の電位測定装置においては、構造物の塗膜や塗覆装隙間内部における防食・腐食状況をモニタリングすることは、構造上、不可能であったが、構造物の塗膜や塗覆装隙間内部における隙間状況を再現した状態で、擬似部材と照合電極との電位差をその構造物の電位として測定できるので、隙間内部における防食・腐食状況をモニタリングすることができる。
【００３７】
請求項９記載の発明の特徴構成は、非導電性の板材を、その一側面が前記擬似部材の各特定面側に向くように一連に設けて、前記一側面と各特定面との間に、前記外部電解質が入り込む又は前記外部電解質を充填する隙間を一連に形成してある点にある。
【００３８】
〔作用及び効果〕
構造物の塗膜や塗覆装隙間内部における隙間状況を、非導電性の板材の一側面と各特定面との間に一連に形成した外部電解質が入り込む又は外部電解質を充填する隙間で再現した状態で、各擬似部材毎に対応する照合電極との電位差を測定して、一連に形成した隙間内における電位差の分布を調べることができる。
従って、従来の電位測定装置においては、構造物の塗膜や塗覆装隙間内部における防食・腐食状況をモニタリングすることは、構造上、不可能であったが、構造物の塗膜や塗覆装隙間内部における隙間状況を再現した状態で、各擬似部材と対応する照合電極との電位差をその構造物の電位として測定できるので、隙間内部における電位差の分布を調べながら、防食・腐食状況をモニタリングすることができる。
【００３９】
請求項１０記載の発明の特徴構成は、前記擬似部材を前記外装容器に固定し、前記外装容器の上部に硬質の筒体部を略同芯状に一体連設するとともに、前記外装容器の下部に下端側ほど小径の硬質先端部を略同芯状に一体連設し、前記擬似部材と前記電極用金属とを電気的に接続可能な導線を、前記筒体部の内側を通してその筒体部の上部に延設してある点にある。
【００４０】
〔作用及び効果〕
擬似部材を前記外装容器に固定し、外装容器の上部に硬質の筒体部を略同芯状に一体連設するとともに、外装容器の下部に下端側ほど小径の硬質先端部を略同芯状に一体連設してあるので、筒体部を外部電解質中に打ち込むことにより、擬似部材を照合電極と共に構造体近くに入り込ませることができ、また、擬似部材と電極用金属とを電気的に接続可能な導線を、筒体部の内側を通してその筒体部の上部に延設してあるので、必要に応じて、所望の場所で擬似部材と照合電極との電位差を測定できる。
【００４１】
請求項１１記載の発明の特徴構成は、前記貫通孔を前記硬質先端部の先端から径方向にずらして開口するように形成してある点にある。
【００４２】
〔作用及び効果〕
貫通孔を硬質先端部の先端から径方向にずらして開口するように形成してあるので、筒体を外部電解質中に打ち込む際に、貫通孔内に外部電解質が押し込まれにくい。
【００４３】
請求項１２記載の発明の特徴構成は、前記擬似部材と前記構造物とに亘って流れる電流を測定可能な電流測定手段を設けてある点にある。
【００４４】
〔作用及び効果〕
擬似部材と照合電極との電位差の測定時に、擬似部材と構造物とに亘って流れる電流を同時に測定できる。
従って、従来の電位測定装置は、擬似部材と構造物とに亘って流れる電流を測定する手段が設けられておらず、構造物の腐食状況を知りたいときは、測定した電位のみから推測或いは監視するほか無かったが、構造物の電位測定時に、擬似部材に流れる電流を同時に測定できるので、構造物の電位と、擬似部材の外部電解質との接触面積から求めた電流密度とに基づいて、構造物の腐食速度などの腐食状況、或いは、防食電流密度から鑑みた防食状況を精度良く測定或いは監視することができる。
【００４５】
【発明の実施の形態】
以下に本発明の実施の形態を図面に基づいて説明する。尚、図面において従来例と同一の符号で表示した部分は、同一又は相当の部分を示している。
【００４６】
〔第１実施形態〕
図１は、電極用金属（銅）１と電解質溶液（飽和硫酸銅溶液）２と硫酸銅結晶３を含有させたイオン電導性粘性流体４とを、非電導性を備えたポリエチレン樹脂製の円筒状の外側容器５内に収容するとともに、その外側容器５を、内部電解質材６を充填してある非電導性を備えたポリエチレン樹脂製の筒状の外装容器７に同芯状に内装してある照合電極Ａを示す。
【００４７】
前記照合電極Ａは、図５に示すように、その複数個を容器外側の外部電解質（土壌）８中に埋設してある地盤改良用の鋼管杭（防食対象物となる構造物の一例）Ｂの近くに上下に所定の間隔を隔てて埋設して、各照合電極Ａの電極用金属１と外部電源法で防食している鋼管杭Ｂの擬似部材Ｃとを直流電圧計Ｄを介して電気的に接続するとともに、電解質溶液２を外部電解質８に電気的に接続して、各照合電極Ａの埋設深さに応じた位置での鋼管杭Ｂの防食電位を測定できるように構成してある。
【００４８】
前記電解質溶液２は、電極用金属１を内側に同芯状に支持してある非電導性を備えた円筒状の内側容器９に充填してあり、その内側容器９を、イオン電導性粘性流体４を充填してある外側容器５内に同芯状に固定するとともに、セラミックなどの非電導性を備えた多孔質材料で形成してある内部隔壁１０を内側容器９の底部に設けて、電解質溶液２とイオン電導性粘性流体４とを内部隔壁１０を通して互いに電気的に接続するように外側容器５内に各別に充填してある。
【００４９】
前記外装容器７に充填してある内部電解質材６は、内部電解質材の一例として土壌に水を浸透させて保湿状態に保つことによりイオン電導性を備えるようにしてあり、図２にも示すように、セラミックなどの非電導性を備えた多孔質材料で形成してある容器隔壁１３を、外側容器５の底部に筒軸芯Ｘ方向に略沿わせて設けてある容器壁５ａから筒軸芯Ｘ方向に略直交する方向に沿わせて外装容器７内に突出するように設けて、イオン電導性粘性流体４と内部電解質材６とを容器隔壁１３を通して互いに電気的に接続するとともに、外装容器７の底板２５に同芯状に設けた貫通孔１４に内部電解質材６が入り込むように充填して、内部電解質材６を貫通孔１４を通して外部電解質８に電気的に接続可能に設けてある。
【００５０】
従って、電解質溶液２は、イオン電導性粘性流体４と内部電解質材６とを介して、外装容器７の底板２５に同芯状に設けた貫通孔１４を通して、外部電解質８に電気的に接続可能に設けてある。
【００５１】
また、内部電解質材６に電気的に接触する補助金属電極１５を、内部電解質材６を介して外部電解質８に電気的に接続可能に設け、この補助金属電極１５を金属イオンが抗菌性を有する銀などの抗菌金属で形成するとともに、補助金属電極（抗菌金属）１５に対してカソードとして作用させる白金などの再生用金属電極１６を内部電解質材６に電気的に接触するように設けてある。
【００５２】
また、内部電解質材６に電気的に接触する補助金属電極１５を、内部電解質材６を介して外部電解質８に電気的に接続可能に設けて、補助金属電極１５と擬似部材Ｃとを直流電圧計Ｄを介して電気的に接続して、電極用金属１を使用せずに鋼管杭Ｂの防食電位を測定できるように構成し、この補助金属電極１５を金属イオンが抗菌性を有する銀などの抗菌金属で形成するとともに、補助金属電極（抗菌金属）１５に対してカソードとして作用させる白金などの再生用金属電極１６を内部電解質材６に電気的に接触するように設けて、補助金属電極１５と再生用金属電極１６とをスイッチ１７の操作で外部直流電源３９を介して電気的に接続自在に設けてある。
【００５３】
前記外装容器７は、図３にも示すように、非電導性を備えたポリエチレン樹脂製の蓋体１８を上部にねじ込んで開閉自在に設けてあり、蓋体１８と内部電解質材６との隙間を埋めるエポキシ樹脂やウレタン樹脂等の耐水・絶縁性能を有する樹脂製の詰め物１９を蓋体１８に一体固定し、外側容器５と補助金属電極１５及び再生用金属電極１６を、その詰め物１９に埋め込むように固定して、外側容器５を筒軸芯Ｘ方向に沿って装脱可能に外装容器７に内装するとともに、電極用金属１に接続してある電極用導線２０と補助金属電極１５に接続してある補助電極用導線２１と再生用金属電極１６に接続してある再生用導線２２を詰め物１９内に一体固定し、それらの導線２０，２１，２２を束ねたシールド線２３を蓋体１８を通して外装容器７の外部に延設してある。
【００５４】
そして、図４にも示すように、鋼管杭Ｂの擬似部材Ｃを、その特定面２４が外装容器７の底板２５に設けた貫通孔１４近くで外部電解質８に電気的に接触し、かつ、特定面２４以外の面２６が内部電解質材６に対して電気的に絶縁されるように、貫通孔１４周りの外面側に固定して、図５に示すように、測定ユニットＪを介して、外部電解質８中で外部電源法により防食されている鋼管杭Ｂに接続するとともに、電解質溶液２を、イオン電導性粘性流体４と内部電解質材６とを介して、外部電解質８に電気的に接続して、擬似部材Ｃと照合電極Ａとの電位差を鋼管杭Ｂの電位として測定できる電位測定装置Ｅを構成してある。
【００５５】
つまり、擬似部材Ｃを、鋼管杭Ｂと同一材料で断面形状が四角形のリング状に形成し、その下面側を形成している扁平なリング状の面を特定面２４として貫通孔１４を囲む状態で鋼管杭Ｂ近くの外部電解質８に電気的に接触し、かつ、特定面２４以外の面２６、つまり、上面側を形成している扁平なリング状の面２６ａと内周面２６ｂと外周面２６ｃとが貫通孔１４を囲む状態で内部電解質材６に対して絶縁されるように、底板２５に形成した環状溝２７に嵌合して、外装容器７に固定してある。
【００５６】
そして、擬似部材Ｃの被覆導線２８を底板２５に挿通して内部電解質材６内に通し、電極用導線２０などと共にシールド線２３に束ねて、蓋体１８を通して外装容器７の外部に延設してある。
【００５７】
図５に示すように、鋼管杭Ｂは、外部直流電源２９の負極側を鋼管杭Ｂに電気的に接続するとともに、外部直流電源２９の正極側を外部電解質８中に埋設した対極３０に電気的に接続して、対極３０から外部電解質８を介して鋼管杭Ｂに防食電流を流す外部電源法により防食されている。
【００５８】
前記測定ユニットＪは、各擬似部材Ｃを鋼管杭Ｂと同一構造物としての防食状態に維持できるように、擬似部材Ｃに接続してある被覆導線２８を鋼管杭Ｂに接続するとともに、電極用金属１を擬似部材Ｃに直流電圧計Ｄを介して電気的に接続し、擬似部材Ｃと照合電極Ａとの電位差の測定時に、擬似部材Ｃと鋼管杭Ｂとに亘って流れる電流を同時に測定できるように、被覆導線２８の鋼管杭Ｂとの接続箇所の間に直流電流計（電流測定手段の一例）Ｆを設けてある。
【００５９】
また、スイッチ３１の操作で補助金属電極１５と擬似部材Ｃとを直流電圧計Ｄを介して電気的に接続して、電極用金属１を使用せずに鋼管杭Ｂの防食電位を測定できるように構成し、補助金属電極１５と再生用金属電極１６とをスイッチ１７の操作で外部直流電源３９を介して電気的に接続自在に設けてある。
【００６０】
そして、鋼管杭Ｂの防食電位を測定するときは、各擬似部材Ｃに接続してある直流電圧計Ｄと各照合電極Ａの電極用導線２０とを、スイッチ３１の操作で接続し、擬似部材Ｃと照合電極Ａとの電位差を鋼管杭Ｂの防食電位として測定でき、また、電解質溶液２が減少して電解質溶液２と外部電解質８との電気的な接触により測定した防食電位の精度が低下しているおそれがある場合は、補助金属電極１５に接続してある補助電極用導線２１を、スイッチ３１の操作で直流電圧計Ｄに接続して、擬似部材Ｃと補助金属電極１５との電位差を鋼管杭Ｂの電位として測定できるようにしてある。
【００６１】
〔第２実施形態〕
図６，図７は、照合電極Ａの別実施形態を示し、外装容器７を、非電導性を備えたポリエチレン樹脂製の円筒体３２の外周部に、非電導性を備えたポリエチレン樹脂製の円板状底板２５を着脱自在にねじ込んで構成し、その円板状底板２５に貫通孔１４を形成するとともに、擬似部材Ｃを固定してある。
【００６２】
そして、円板状底板２５と略同径で、非導電性を備えたポリエチレン樹脂製の円形板材３３を、その一側面３３ａが擬似部材Ｃの扁平な特定面２４に向くように対向させて、非導電性を備えたポリエチレン樹脂製のスペーサ３４を介して、円板状底板２５と同芯状に着脱自在にビス３５で固定し、構造物の塗膜部等における隙間状況を再現できるように、一側面３３ａと特定面２４との間に外部電解質８が入り込む又は外部電解質８を充填しておいて電流が流出入する隙間３６を一定間隔で形成するとともに、スペーサ３４の寸法を変更することにより、一側面３３ａと特定面２４との間隔を変更調節できるようにしてある。
その他の構成は第１実施形態と同様である。
【００６３】
〔第３実施形態〕
図８，図９は、構造物の塗膜部等における隙間状況を再現できるように設けた隙間３６の別実施形態を示し、外装容器７の円板状底板２５と略同径で、非導電性を備えたポリエチレン樹脂製の円形板材３３を、その一側面３３ａが擬似部材Ｃの扁平な特定面２４に向くように対向させて、電流が流出入するように開口部３７を備えたＣ型リング状の周壁（スペーサの一例）３８とともに、円板状底板２５に同芯状に一体形成し、一側面３３ａと特定面２４との間に外部電解質８が入り込む又は外部電解質８を充填する隙間３６を一定間隔で形成してある。
その他の構成は第２実施形態と同様である。
【００６４】
〔第４実施形態〕
図１０，図１１は、構造物の塗膜部等における隙間状況を再現できるように設けた隙間３６の別実施形態を示し、外装容器７の円板状底板２５と略同径で、非導電性を備えたポリエチレン樹脂製の円形板材３３に、電流が流出入するように円形の開口部３７を同芯状に形成し、その円形板材３３を、その一側面３３ａが擬似部材Ｃの扁平な特定面２４に向くように対向させて、リング状の周壁（スペーサの一例）３８とともに、円板状底板２５に同芯状に一体形成し、一側面３３ａと特定面２４との間に外部電解質８が入り込む又は外部電解質８を充填する隙間３６を一定間隔で形成してある。
その他の構成は第２実施形態と同様である。
【００６５】
〔第５実施形態〕
図１２は、電位測定装置Ｅの別実施形態を示し、第１実施形態で示した照合電極Ａの複数を一体に組み付けてある照合電極ユニットＨを鋼製埋設管（構造物の一例）Ｂの近傍に埋設し、各照合電極Ａ毎に対応して第１実施形態で示した測定ユニットＪを設けて、各擬似部材Ｃと対応する照合電極Ａとの電位差を埋設管Ｂの電位として測定できるように構成してある。
【００６６】
前記埋設管Ｂは、外部直流電源２９の負極側を埋設管Ｂに電気的に接続するとともに、外部直流電源２９の正極側を外部電解質８中に埋設した対極３０に電気的に接続して、対極３０から外部電解質８を介して埋設管Ｂに防食電流を流す外部電源法により防食されている。
【００６７】
前記照合電極ユニットＨは、図１３に示すように、複数の照合電極Ａを各擬似部材Ｃの特定面２４が略一定方向に向くように縦横に並べて、ポリエチレン樹脂製の基板（非導電性の連結材）４１を介して一体に固定し、透明アクリル樹脂製の隙間形成用板材（非導電性の板材）３３と各疑似部材Ｃの特定面２４との間に外部電解質８が入り込む又は外部電解質８を充填する一連の隙間３６を形成してある。
【００６８】
つまり、埋設管Ｂどうしを突き合わせて溶接する場合は、溶接箇所近傍は工場塗覆装がなく管体金属表面が露出しているため、溶接箇所を挟む両側に亘って埋設管Ｂの外周面を熱収縮性樹脂チューブ等で被覆して防食することが行われており、経年劣化等によって生じる、この場合の樹脂チューブ等と埋設管Ｂとの隙間状態を再現できるように、隙間形成用板材３３をその一側面が擬似部材Ｃの各特定面２４側に向くように一連に設けることにより、隙間形成用板材３３と各疑似部材Ｃの特定面２４との間に一連の隙間３６を形成し、その隙間３６に埋設管Ｂ近くの外部電解質８又はその外部電解質８に相当する電解質を充填して、隙間３６内における電位分布や電流分布のモニタリングができるようにしてある。
【００６９】
前記擬似部材Ｃの各々は、図１４に示すように、樹脂チューブ等による埋設管Ｂの被覆長さよりも長い長方形の基板４１の略中央部に、被覆長さに相当する隙間形成用板材３３を配置し、管体金属表面長さに相当する範囲に亘って分散するように複数の貫通孔４４を縦横に並べて形成するとともに、各貫通孔４４に照合電極Ａの外装容器７の下端部を嵌合して、接着剤や熱融着で全周に亘って液密に接続することにより、基板４１を介して一体に固定してある。
【００７０】
前記一連の隙間３６は、基板４１の左右の長辺側と一方の短辺側とに沿って接着剤や熱融着で液密に接着したポリエチレン樹脂製のコの字状のスペーサ４５に隙間形成用板材３３をビス止めして、基板４１の長手方向一端側において開口するように設けてある。
【００７１】
尚、図示しないが、基板４１の左右の長辺側にのみ接着したスペーサ４５に隙間形成用板材３３をビス止めして、隙間形成用板材３３と各疑似部材Ｃの特定面２４との間に、基板４１の長手方向両端側において開口する一連の隙間３６を形成したり、スペーサ４５の基板４１からの突出高さを変更して、隙間形成用板材３３と各疑似部材Ｃの特定面２４との間隔を調節できるようにしても良い。
その他の構成は第１実施形態と同様である。
【００７２】
〔第６実施形態〕
図１５は、電位測定装置Ｅの別実施形態を示し、図１６に示すように、第１実施形態で示した照合電極Ａの外装容器７に擬似部材Ｃを固定し、外装容器７の上部に硬質の円筒体部４６を略同芯状に一体連設するとともに、外装容器７の下部に下端側ほど小径の硬質先端部５０を略同芯状に一体連設し、貫通孔１４を硬質先端部５０の先端から径方向にずらして開口するように形成してある。
【００７３】
つまり、外装容器７の底板２５に、外装容器７と略同径で、かつ、先端部を下端側ほど小径の円錐状に形成してある擬似部材Ｃを同芯状に固定して硬質先端部５０を構成するとともに、外装容器７と略同径でポリエチレン樹脂製の硬質材で構成してある硬質の円筒体部４６を外装容器７上部の蓋体１８に着脱自在に同芯状にねじ込み固定して構成した照合電極Ａを設けてある。
【００７４】
前記照合電極Ａは、外装容器７の底板２５に細い筒部材４７を一体に延設して、擬似部材Ｃの先端から径方向にずらして開口する貫通孔１４を形成し、擬似部材Ｃに形成した貫通孔に筒部材４７を密着嵌合させて、擬似部材Ｃの円筒状外周面４８と円錐面４９とからなる特定面２４が貫通孔１４を囲む状態で外部電解質８に電気的に接触し、かつ、特定面２４以外の面（絶縁面）２６が貫通孔１４を囲む状態で内部電解質６に対して電気的に絶縁されるように、擬似部材Ｃを外装容器７に固定してある。
【００７５】
そして、擬似部材Ｃの絶縁面２６と電極用金属１とを内部電解質６に対して電気的に絶縁する状態で電気的に接続可能な被覆導線２０，２８を、外装容器７の内側と円筒体部４６の内側とを通してその円筒体部４６の上部に延設し、円筒体部４６を外部電解質８中に打ち込むことにより、所望の場所で擬似部材Ｃを埋設管Ｂの近くに入り込ませて、必要に応じて、擬似部材Ｃと照合電極Ａとの電位差を測定できるようにしてある。
【００７６】
尚、外装容器７の底部において内部電解質６と外部電解質８とが電気的に接続するように外装容器７の内外を連通させる貫通孔１４の複数を、擬似部材Ｃの外面側に開口するように設けてあっても良い。
その他の構成は第１実施形態と同様である。
【００７７】
〔その他の実施形態〕
１．本発明による照合電極は、外装容器から離して外部電解質中に設けてある擬似部材に電極用金属を電気的に接続して、構造物の電位を測定できるように構成してあっても、擬似部材を設けていない構造物に電極用金属を電気的に接続して、構造物の電位を測定できるように構成してあっても良い。
２．本発明による照合電極は、外部電解質に直に接触して電気的に接続可能な補助金属電極を設けてあっても良い。
３．本発明による照合電極は、外部電解質に直に接触する抗菌金属を設けてあっても良い。
４．本発明による照合電極と電位測定装置は、必要に応じて、電解質溶液が外部電解質に電気的に接続するように設置して使用するものであっても良い。
５．本発明による照合電極と電位測定装置は、非電導性の多孔質材料で形成してある内部隔壁で容器の内側を区画して、電解質溶液と電導性粘性流体とを、内部隔壁を通して互いに電気的に接続するように、容器内に各別に充填してあっても良い。
６．本発明による照合電極と電位測定装置は、各種構造物の自然電位を測定するために使用するものであっても良い。
７．本発明による照合電極と電位測定装置は、外部電解質としての海水中の各種構造物の電位や自然電位を測定するために使用するものであっても良い。
８．本発明による照合電極と電位測定装置は、鋼管杭や埋設管以外の各種構造物の電位を測定するために使用するものであっても良い。
９．本発明による照合電極と電位測定装置は、二重管構造等における鞘管内部の防食・腐食状況を把握・モニタリングするために使用するものであっても良い。
１０．本発明による電位測定装置は、擬似部材を外装容器から離した状態で、その特定面が外装容器の貫通孔近くで外部電解質に電気的に接触し、かつ、特定面以外の面が内部電解質材に対して電気的に絶縁されるように設けてあっても良い。
１１．本発明による電位測定装置は、自然腐食状況や各種マクロセルによる腐食状況や電食による影響度や影響範囲の特定等を把握するための電位や電流を測定するものであっても良く、また、腐食状況等をモニタリングするための分極抵抗法に代表される電気化学測定による電位や電流を測定するものであっても良い。
１２．請求項１０記載の本発明による電位測定装置は、下端部を下端側ほど小径に形成してある筒状の外装容器に擬似部材を設けるとともに、その外装容器の上部に硬質の筒体部を略同芯状に一体連設してあっても良い。
１３．請求項１０記載の本発明による電位測定装置は、外装容器の下部と硬質先端部との間に擬似部材を固定してあっても良い。
【図面の簡単な説明】
【図１】  照合電極の縦断面図
【図２】  照合電極の要部横断面図
【図３】  照合電極の頂部を示す平面図
【図４】  照合電極の底部を示す斜視図
【図５】  電位測定装置の概略図
【図６】  第２実施形態を示す要部の断面図
【図７】  第２実施形態を示す底面図
【図８】  第３実施形態を示す要部の断面図
【図９】  第３実施形態を示す底面図
【図１０】  第４実施形態を示す要部の断面図
【図１１】  第４実施形態を示す底面図
【図１２】  第５実施形態を示す概略図
【図１３】  (イ)  第５実施形態を示す要部の斜視図
(ロ)  第５実施形態を示す要部の一部切欠き底面図
【図１４】  第５実施形態を示す要部の断面図
【図１５】  第６実施形態を示す概略図
【図１６】  第６実施形態を示す要部の断面図
【図１７】  従来の電位測定装置の概略図
【符号の説明】
１      電極用金属
２      電解質溶液
４      電導性粘性流体
５      容器
５ａ    容器壁
６      内部電解質材
７      外装容器
８      外部電解質
１０    内部隔壁
１３    容器隔壁
１４    貫通孔
１５    補助金属電極
１６    再生用金属電極
２０    導線
２４    特定面
２６    特定面以外の面
２８    導線
３３    板材
３３ａ  一側面
３６    隙間
４１    連結材
４６    筒体部
５０    硬質先端部
Ａ      照合電極
Ｂ      構造物
Ｃ      擬似部材
Ｆ      電流測定手段
Ｘ      筒軸芯
【図１】
0004278391.tif 000002
【図２】
0004278391.tif 000003
【図３】
0004278391.tif 000004
【図４】
0004278391.tif 000005
【図５】
0004278391.tif 000006
【図６】
0004278391.tif 000007
【図７】
0004278391.tif 000008
【図８】
0004278391.tif 000009
【図９】
0004278391.tif 000010
【図１０】
0004278391.tif 000011
【図１１】
0004278391.tif 000012
【図１２】
0004278391.tif 000013
【図１３】
0004278391.tif 000014
【図１４】
0004278391.tif 000015
【図１５】
0004278391.tif 000016
【図１６】
0004278391.tif 000017
【図１７】
0004278391.tif 000018